(57)【特許請求の範囲】
【請求項１】
業務上のリスクに対処するために実施される統制ごとに、統制を一意に識別する統制識別子と、統制の属性を示す統制情報とを予め記憶装置により記憶し、是正が不要であると既に評価された統制については、統制の是正が不要であることを示す評価情報を記憶する統制記憶部と、
一連の業務からなる業務フローごとに、業務フローと業務フローに含まれる各業務で実施される統制とを示す業務フローチャートを予め記憶装置により記憶する業務フローチャート記憶部と、
前記統制記憶部に記憶されている統制識別子のうち、任意の統制識別子である第１統制識別子の選択を入力装置によりユーザから受け付ける統制選択部と、
前記統制記憶部を処理装置により検索して、前記統制選択部で選択された第１統制識別子に対応する統制の評価情報が前記統制記憶部に記憶されている場合、当該第１統制識別子に対応する統制の統制情報と近似する他の統制情報のうち、評価情報が前記統制記憶部に記憶されていない統制の統制情報のみを抽出し、抽出した統制情報に対応する統制が示されている業務フローチャートを前記業務フローチャート記憶部から取得する検索部と、
前記検索部により取得された業務フローチャートを出力装置により表示する業務フローチャート表示部と
を備えることを特徴とする業務フローチャート検索装置。
【請求項２】
前記検索部は、前記統制選択部で選択された第１統制識別子に対応する統制の評価情報が前記統制記憶部に記憶されていない場合、当該第１統制識別子に対応する統制の統制情報と近似する他の統制情報のうち、評価情報が前記統制記憶部に記憶されている統制の統制情報のみを抽出することを特徴とする請求項１の業務フローチャート検索装置。
【請求項３】
前記統制記憶部は、統制ごとに、統制の評価状況を示すデータを記憶し、
前記検索部は、前記統制選択部で選択された第１統制識別子に対応する統制のデータを前記統制記憶部から取得し、取得したデータにより示されている評価状況が、統制の整備状況の評価作業において是正が不要であると評価された第１段階と、統制の整備状況の評価作業より後に実施される統制の運用テストにおいて是正が不要であると評価された第２段階と、統制の運用テストより後に実施される統制の監査作業において是正が不要であると評価された第３段階とのうち、所定の段階以降であれば、当該第１統制識別子に対応する統制の評価情報が前記統制記憶部に記憶されていると判断し、前記所定の段階以降でなければ、当該第１統制識別子に対応する統制の評価情報が前記統制記憶部に記憶されていないと判断することを特徴とする請求項１又は２の業務フローチャート検索装置。
【請求項４】
前記業務フローチャート記憶部は、前記業務フローチャートとして、統制を統制識別子で示す業務フローチャートを記憶し、
前記統制選択部は、前記業務フローチャート記憶部に記憶されている任意の業務フローチャートである第１業務フローチャートに示されている統制識別子のうち、１つの統制識別子を前記第１統制識別子としてユーザに選択させ、さらに、前記業務フローチャート表示部で表示されている任意の業務フローチャートである第２業務フローチャートに示されている統制識別子のうち、共通化の対象とする統制の統制識別子である第２統制識別子の選択を入力装置によりユーザから受け付け、
前記業務フローチャート検索装置は、さらに、前記業務フローチャート記憶部に記憶されている第１業務フローチャートに示されている第１統制識別子と、前記業務フローチャート表示部で表示されている第２業務フローチャートに示されている第２統制識別子とを、当該第１統制識別子に対応する統制と当該第２統制識別子に対応する統制とのうち、前記統制記憶部に記憶されたデータにより示されている評価状況が前記第３段階に近い統制の統制識別子に変更する業務フローチャート更新部を備えることを特徴とする請求項３の業務フローチャート検索装置。
【請求項５】
前記業務フローチャート記憶部は、さらに、業務フローごとに、業務フローを一意に識別する業務フロー識別子を記憶し、
前記統制記憶部は、さらに、統制ごとに、統制が示されている業務フローチャートの業務フロー識別子を記憶し、
前記検索部は、抽出した統制情報に対応する統制の業務フロー識別子を前記統制記憶部から取得し、取得した業務フロー識別子に対応する業務フローの業務フローチャートを前記業務フローチャート記憶部から取得することを特徴とする請求項１から４のいずれかの業務フローチャート検索装置。
【請求項６】
業務上のリスクに対処するために実施される統制ごとに、統制を一意に識別する統制識別子と、統制の属性を示す統制情報とを予め記憶装置により記憶し、是正が不要であると既に評価された統制については、統制の是正が不要であることを示す評価情報を記憶するとともに、一連の業務からなる業務フローごとに、業務フローと業務フローに含まれる各業務で実施される統制とを示す業務フローチャートを予め記憶装置により記憶するコンピュータを、
記憶装置に記憶されている統制識別子のうち、任意の統制識別子である第１統制識別子の選択を入力装置によりユーザから受け付ける統制選択部と、
記憶装置を処理装置により検索して、前記統制選択部で選択された第１統制識別子に対応する統制の評価情報が記憶装置により記憶されている場合、当該第１統制識別子に対応する統制の統制情報と近似する他の統制情報のうち、評価情報が記憶装置により記憶されていない統制の統制情報のみを抽出し、抽出した統制情報に対応する統制が示されている業務フローチャートを記憶装置から取得する検索部と、
前記検索部により取得された業務フローチャートを出力装置により表示する業務フローチャート表示部
として機能させるためのプログラム。
【発明の詳細な説明】
【技術分野】
【０００１】
本発明は、業務フローチャート検索装置及びプログラムに関するものである。本発明は、特に、内部統制用業務フローチャートの統制指定による類似する統制を含む業務フローチャートの一括検索機能に関するものである。
【背景技術】
【０００２】
従来、業務フローを構成する業務タスク及びフロー形状等の情報に基づいて、ビジネスプロセスを実行可能な形式で作成する技術がある（例えば、特許文献１参照）。また、ユーザから入力された検索用の業務フローを基にアクション部品、属性、サブ属性等を抽出した検索用テーブルを作成し、当該検索用テーブルを基にデータベースを検索して類似度の高い順に業務フローを提示する技術がある（例えば、特許文献２参照）。
【先行技術文献】
【特許文献】
【０００３】
【特許文献１】特開２００８−３１０５６６号公報
【特許文献２】特開２００６−２６０３３３号公報
【発明の概要】
【発明が解決しようとする課題】
【０００４】
内部統制の文書化作業では、業務プロセス（例えば、収入伝票の入力）ごとに「業務フローチャート」を作成し、さらに、業務フローチャートから「リスクコントロールマトリックス」を作成する。業務フローチャートは、業務の流れに沿って、実施する「作業」、そこに存在する「リスク」、リスクを防止するための「統制」（コントロール）を、記号等を用いて記述したものである。リスクコントロールマトリックスは、リスクとそれを防止する統制（コントロール）とを表にしたものである。
【０００５】
文書化作業の後は、内部統制の整備状況を評価するために、「ウォークスルー作業」を行う。ウォークスルー作業は、業務フローチャートに記述された業務の流れに沿って、実際の帳票等を確認しながら、リスクコントロールマトリックスに記載されている統制が現場に導入されているか、統制に問題がないかを検証する作業である。内部統制の整備状況が不十分であると、後の監査作業において統制の是正が求められる機会が増えるため、ウォークスルー作業は十分に行っておく必要がある。
【０００６】
整備状況の評価作業では、さらに、統制の共通化（共有化）が可能かを評価する。共通化された統制（コモンコントロール）の数が増えれば、全体として統制の数が減るため、後の監査作業が効率化できる。共通化可能な統制の抽出漏れは、同じような統制に対する監査作業の増加を招くため、監査作業の効率化を損なうことになる。
【０００７】
従来の技術では、ユーザから業務フローが入力されると、その業務フローとの間で共通化可能な統制が存在するかどうかに関わらず、フロー全体として類似性が高い業務フローが優先的に抽出されてしまう。したがって、統制を共通化する作業に従来の技術を利用しても、作業の十分な効率化が図れないという課題があった。また、共通化可能な統制の抽出漏れを防止できないという課題もあった。ユーザが統制に関する情報を蓄積したデータベースを検索して共通化可能な統制を抽出するという方法も考えられるが、この方法では、上記のような課題を十分に解決することはできなかった。
【０００８】
本発明は、例えば、統制を共通化する作業を効率化し、また、共通化可能な統制の抽出漏れを抑制することを目的とする。
【課題を解決するための手段】
【０００９】
本発明の一の態様に係る業務フローチャート検索装置は、
業務上のリスクに対処するために実施される統制ごとに、統制を一意に識別する統制識別子と、統制の属性を示す統制情報とを予め記憶装置により記憶する統制記憶部と、
一連の業務からなる業務フローごとに、業務フローと業務フローに含まれる各業務で実施される統制とを示す業務フローチャートを予め記憶装置により記憶する業務フローチャート記憶部と、
前記統制記憶部に記憶されている統制識別子のうち、任意の統制識別子である第１統制識別子の選択を入力装置によりユーザから受け付ける統制選択部と、
前記統制記憶部を処理装置により検索して、前記統制選択部で選択された第１統制識別子に対応する統制の統制情報と近似する他の統制情報を抽出し、抽出した統制情報に対応する統制が示されている業務フローチャートを前記業務フローチャート記憶部から取得する検索部と、
前記検索部により取得された業務フローチャートを出力装置により表示する業務フローチャート表示部とを備える。
【００１０】
前記統制記憶部は、さらに、是正が不要であると既に評価された統制については、統制の是正が不要であることを示す評価情報を記憶し、
前記検索部は、前記統制選択部で選択された第１統制識別子に対応する統制の評価情報が前記統制記憶部に記憶されている場合、当該第１統制識別子に対応する統制の統制情報と近似する他の統制情報のうち、評価情報が前記統制記憶部に記憶されていない統制の統制情報のみを抽出する。
【００１１】
前記検索部は、前記統制選択部で選択された第１統制識別子に対応する統制の評価情報が前記統制記憶部に記憶されていない場合、当該第１統制識別子に対応する統制の統制情報と近似する他の統制情報のうち、評価情報が前記統制記憶部に記憶されている統制の統制情報のみを抽出する。
【００１２】
前記業務フローチャート記憶部は、前記業務フローチャートとして、統制を統制識別子で示す業務フローチャートを記憶し、
前記統制選択部は、前記業務フローチャート記憶部に記憶されている任意の業務フローチャートである第１業務フローチャートに示されている統制識別子のうち、１つの統制識別子を前記第１統制識別子としてユーザに選択させ、さらに、前記業務フローチャート表示部で表示された任意の業務フローチャートである第２業務フローチャートに示されている統制識別子のうち、共通化の対象とする統制の統制識別子である第２統制識別子の選択を入力装置によりユーザから受け付け、
前記業務フローチャート検索装置は、さらに、前記業務フローチャート記憶部に記憶されている第１業務フローチャートに示されている第１統制識別子と、前記業務フローチャート記憶部に記憶されている第２業務フローチャートに示されている第２統制識別子とを、共通の統制識別子に変更する業務フローチャート更新部を備える。
【００１３】
前記業務フローチャート記憶部は、さらに、業務フローごとに、業務フローを一意に識別する業務フロー識別子を記憶し、
前記統制記憶部は、さらに、統制ごとに、統制が示されている業務フローチャートの業務フロー識別子を記憶し、
前記検索部は、抽出した統制情報に対応する統制の業務フロー識別子を前記統制記憶部から取得し、取得した業務フロー識別子に対応する業務フローの業務フローチャートを前記業務フローチャート記憶部から取得する。
【００１４】
本発明の一の態様に係るプログラムは、
業務上のリスクに対処するために実施される統制ごとに、統制を一意に識別する統制識別子と、統制の属性を示す統制情報とを予め記憶装置により記憶するとともに、一連の業務からなる業務フローごとに、業務フローと業務フローに含まれる各業務で実施される統制とを示す業務フローチャートを予め記憶装置により記憶するコンピュータを、
記憶装置に記憶されている統制識別子のうち、任意の統制識別子である第１統制識別子の選択を入力装置によりユーザから受け付ける統制選択部と、
記憶装置を処理装置により検索して、前記統制選択部で選択された第１統制識別子に対応する統制の統制情報と近似する他の統制情報を抽出し、抽出した統制情報に対応する統制が示されている業務フローチャートを記憶装置から取得する検索部と、
前記検索部により取得された業務フローチャートを出力装置により表示する業務フローチャート表示部として機能させる。
【発明の効果】
【００１５】
本発明の一の態様では、業務フローチャート検索装置において、検索部が、統制記憶部を検索して、選択された統制識別子に対応する統制の統制情報と近似する他の統制情報を抽出し、抽出した統制情報に対応する統制が示されている業務フローチャートを業務フローチャート記憶部から取得する。そして、業務フローチャート表示部が、その業務フローチャートを表示する。これにより、統制を共通化する作業を効率化し、また、共通化可能な統制の抽出漏れを抑制することが可能となる。
【図面の簡単な説明】
【００１６】
【図１】実施の形態１に係る業務フローチャート検索装置の構成を示すブロック図。
【図２】実施の形態１に係る業務フローチャートの一例。
【図３】実施の形態１に係る業務フローチャート検索装置のハードウェア構成の一例を示す図。
【図４】実施の形態１に係る業務フローチャート検索装置の動作を示すフローチャート。
【図５】実施の形態２及び３に係る業務フローチャート検索装置の構成を示すブロック図。
【図６】実施の形態４に係る業務フローチャート検索装置の構成を示すブロック図。
【図７】実施の形態４に係る業務フローチャート検索装置の動作を示すフローチャート。
【発明を実施するための形態】
【００１７】
以下、本発明の実施の形態について、図を用いて説明する。
【００１８】
実施の形態１．
図１は、本実施の形態に係る業務フローチャート検索装置１００の構成を示すブロック図である。
【００１９】
業務フローチャート検索装置１００は、内部統制の文書化作業や整備状況の評価作業において、業務フローチャートに記述された統制（コントロール）をユーザに選択させ、統制の属性（名称、内容）が曖昧一致する全ての業務フローチャートを表示する。これにより、類似する統制を含む業務フローチャート間で統制を共通化する作業を支援する。また、類似する統制を含む業務フローチャートの抽出漏れを防止する。
【００２０】
図１において、業務フローチャート検索装置１００は、統制記憶部１０１、業務フローチャート記憶部１０２、業務フローチャート表示部１０３、統制選択部１０４、検索部１０５を備える。検索部１０５は、統制検索部１５１、業務フローチャート検索部１５２を有する。また、図示していないが、業務フローチャート検索装置１００は、処理装置、記憶装置、入力装置、出力装置等のハードウェアを備える。
【００２１】
ハードウェアは業務フローチャート検索装置１００の各部によって利用される。例えば、処理装置は、検索部１０５等でデータや情報の演算、加工、読み取り、書き込み等を行うために利用される。記憶装置には、そのようなデータや情報を記憶する統制記憶部１０１、業務フローチャート記憶部１０２が実装される。入力装置は、統制選択部１０４等でデータや情報の入力（選択）を受け付けるために利用される。出力装置は、業務フローチャート表示部１０３等でデータや情報を出力（表示）するために利用される。
【００２２】
統制記憶部１０１は、統制ごとに、統制番号、統制名、統制内容、業務プロセス名を予め記憶装置により記憶する。統制番号は、統制を一意に識別する番号の数値データである。統制名は、統制の名称のテキストデータである。統制内容は、統制の内容（方法等）を記述したテキストデータである。業務プロセス名は、業務フロー（業務プロセス）を一意に識別する名称のテキストデータである。統制番号、統制名、統制内容は、１つの統制に対してそれぞれ１つのみ記憶されるが、業務プロセス名は、１つの統制に対して２つ以上記憶される場合がある。例えば、ある統制が３つの業務フローチャートに示されて（記述されて）いれば、統制記憶部１０１は、その統制に対して当該３つの業務フローチャートの業務プロセス名を記憶する。
【００２３】
業務フローチャート記憶部１０２は、業務フローごとに、業務プロセス名、業務フローチャートを予め記憶装置により記憶する。業務プロセス名は、前述した通り、業務フローを一意に識別する名称のテキストデータである。業務フローチャートは、一連の業務からなる業務フローを示すフローチャートである。業務フローチャートでは、業務フローに含まれる各業務で発生するリスク（業務上のリスク）や各リスクに対処するために実施される統制が示される。本実施の形態において、業務フローチャートでは、リスクがリスク番号（リスクを一意に識別する番号）で、統制が統制番号で示されるものとするが、リスクや統制が他の方法（例えば、名称）で示されても構わない。
【００２４】
例えば、図２は、収入伝票の入力の業務フローを示す業務フローチャートである。
【００２５】
図２において、Ｓ１〜Ｓ４は業務番号（業務を一意に識別する番号）、ＲＡ１，ＲＡ２，Ｒ１はリスク番号、ＣＡ１，ＣＡ２，Ｃ１，Ｃ２は統制番号である。
【００２６】
この業務フローでは、まず、「現場部門の担当者が収入伝票のデータを出納伝票システムに入力する」という業務Ｓ１が行われる。業務Ｓ１には、「権限のない者が不正なデータを入力する」というリスクＲＡ１がある。業務Ｓ１では、リスクＲＡ１に対処するために、「権限のチェックを現場部門のコンピュータで行う」という統制ＣＡ１が実施される。業務Ｓ１が行われると、出納伝票システムにより領収書及び収入伝票が印刷される。領収書は顧客に送付され、収入伝票は現場部門の上長に回付される。収入伝票には、「権限のある者が不正なデータを入力する（誤入力を含む）」というリスクＲ１がある。
【００２７】
次に、「現場部門の上長が収入伝票の内容を承認する」という業務Ｓ２が行われる。業務Ｓ２では、リスクＲ１に対処するために、「現場部門の上長が収入伝票の内容をチェックする」という統制Ｃ１が実施される。
【００２８】
次に、「経理部門の出納係が収入伝票の内容を承認する」という業務Ｓ３が行われる。業務Ｓ３でも、リスクＲ１に対処するために、「経理部門の出納係が収入伝票の内容をチェックする」という統制Ｃ２が実施される。
【００２９】
最後に、「経理部門の出納係が収入伝票を承認したことの記録を出納伝票システムに入力する」という業務Ｓ４が行われる。業務Ｓ４には、「権限のない者が不正なデータを入力する」というリスクＲＡ２がある。業務Ｓ４では、リスクＲＡ２に対処するために、「権限のチェックを経理部門のコンピュータで行う」という統制ＣＡ２が実施される。
【００３０】
この例では、業務フローチャート記憶部１０２が、業務プロセス名「収入伝票の入力」に対応付けて、図２に示した業務フローチャートを記憶する。そして、統制記憶部１０１が、統制番号ＣＡ１に対応付けて、統制ＣＡ１の統制名、「権限のチェックを現場部門のコンピュータで行う」という統制内容、業務プロセス名「収入伝票の入力」を記憶する。また、統制番号ＣＡ２に対応付けて、統制ＣＡ２の統制名、「権限のチェックを経理部門のコンピュータで行う」という統制内容、業務プロセス名「収入伝票の入力」を記憶する。統制番号Ｃ１，Ｃ２についても、統制名、統制内容、業務プロセス名を記憶する。
【００３１】
統制記憶部１０１、業務フローチャート記憶部１０２は、例えば、リレーショナルデータベースの１つ又は複数のテーブルとして実装することができる。具体的には、統制記憶部１０１として、例えば、統制番号を主キーとするテーブルを１つ又は複数構築し、テーブルの各カラムに統制番号、統制名、統制内容、業務プロセス名を格納する。また、業務フローチャート記憶部１０２として、例えば、業務プロセス名を主キーとするテーブルを１つ又は複数構築し、テーブルの各カラムに業務プロセス名、業務フローチャートを格納する。業務フローチャートとしては、フローチャートの構成を定義する各種データ（例えば、フローチャートの部品やその属性を詳細に定義したデータ）を格納するか、あるいは、フローチャートをそのまま記録したファイル又は当該ファイルへのリンク等を格納する。フローチャートをそのまま記録したファイルとは、例えば、様々な部門の担当者が任意のツールで作成したＥＸＣＥＬファイル、ＷＯＲＤファイル等、あるいは、これらのファイルをＰＤＦ化したもの（即ち、ＰＤＦファイル）である。
【００３２】
なお、本実施の形態において、統制番号は、統制識別子の一例であり、統制番号に代えて他の種類の識別子（例えば、統制の一意の属性）を用いてもよい。統制名、統制内容は、統制の属性を示す統制情報の一例であり、統制名、統制内容に代えて又はこれらに加えて他の属性（例えば、統制の実施者）を示す情報を用いてもよい。業務プロセス名は、業務フロー識別子の一例であり、業務プロセス名に代えて他の種類の識別子（例えば、業務フローを一意に識別する番号）を用いてもよい。
【００３３】
業務フローチャート表示部１０３、統制選択部１０４の動作については後述する。また、検索部１０５の統制検索部１５１、業務フローチャート検索部１５２の動作についても後述する。
【００３４】
図３は、業務フローチャート検索装置１００のハードウェア構成の一例を示す図である。
【００３５】
図３において、業務フローチャート検索装置１００は、コンピュータであり、ＬＣＤ９０１（Ｌｉｑｕｉｄ・Ｃｒｙｓｔａｌ・Ｄｉｓｐｌａｙ）、キーボード９０２（Ｋ／Ｂ）、マウス９０３、ＦＤＤ９０４（Ｆｌｅｘｉｂｌｅ・Ｄｉｓｋ・Ｄｒｉｖｅ）、ＣＤＤ９０５（Ｃｏｍｐａｃｔ・Ｄｉｓｃ・Ｄｒｉｖｅ）、プリンタ９０６といったハードウェアデバイスを備えている。これらのハードウェアデバイスはケーブルや信号線で接続されている。ＬＣＤ９０１の代わりに、ＣＲＴ（Ｃａｔｈｏｄｅ・Ｒａｙ・Ｔｕｂｅ）、あるいは、その他の表示装置が用いられてもよい。マウス９０３の代わりに、タッチパネル、タッチパッド、トラックボール、ペンタブレット、あるいは、その他のポインティングデバイスが用いられてもよい。
【００３６】
業務フローチャート検索装置１００は、プログラムを実行するＣＰＵ９１１（Ｃｅｎｔｒａｌ・Ｐｒｏｃｅｓｓｉｎｇ・Ｕｎｉｔ）を備えている。ＣＰＵ９１１は、処理装置の一例である。ＣＰＵ９１１は、バス９１２を介してＲＯＭ９１３（Ｒｅａｄ・Ｏｎｌｙ・Ｍｅｍｏｒｙ）、ＲＡＭ９１４（Ｒａｎｄｏｍ・Ａｃｃｅｓｓ・Ｍｅｍｏｒｙ）、通信ボード９１５、ＬＣＤ９０１、キーボード９０２、マウス９０３、ＦＤＤ９０４、ＣＤＤ９０５、プリンタ９０６、ＨＤＤ９２０（Ｈａｒｄ・Ｄｉｓｋ・Ｄｒｉｖｅ）と接続され、これらのハードウェアデバイスを制御する。ＨＤＤ９２０の代わりに、フラッシュメモリ、光ディスク装置、メモリカードリーダライタ、あるいは、その他の記録媒体が用いられてもよい。
【００３７】
ＲＡＭ９１４は、揮発性メモリの一例である。ＲＯＭ９１３、ＦＤＤ９０４、ＣＤＤ９０５、ＨＤＤ９２０は、不揮発性メモリの一例である。これらは、記憶装置の一例である。通信ボード９１５、キーボード９０２、マウス９０３、ＦＤＤ９０４、ＣＤＤ９０５は、入力装置の一例である。また、通信ボード９１５、ＬＣＤ９０１、プリンタ９０６は、出力装置の一例である。
【００３８】
通信ボード９１５は、ＬＡＮ（Ｌｏｃａｌ・Ａｒｅａ・Ｎｅｔｗｏｒｋ）等に接続されている。通信ボード９１５は、ＬＡＮに限らず、ＩＰ−ＶＰＮ（Ｉｎｔｅｒｎｅｔ・Ｐｒｏｔｏｃｏｌ・Ｖｉｒｔｕａｌ・Ｐｒｉｖａｔｅ・Ｎｅｔｗｏｒｋ）、広域ＬＡＮ、ＡＴＭ（Ａｓｙｎｃｈｒｏｎｏｕｓ・Ｔｒａｎｓｆｅｒ・Ｍｏｄｅ）ネットワークといったＷＡＮ（Ｗｉｄｅ・Ａｒｅａ・Ｎｅｔｗｏｒｋ）、あるいは、インターネットに接続されていても構わない。ＬＡＮ、ＷＡＮ、インターネットは、ネットワークの一例である。
【００３９】
ＨＤＤ９２０には、オペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。プログラム群９２３には、本実施の形態の説明において「〜部」として説明する機能を実行するプログラムが含まれている。プログラムは、ＣＰＵ９１１により読み出され実行される。ファイル群９２４には、本実施の形態の説明において、「〜データ」、「〜情報」、「〜ＩＤ（識別子）」、「〜フラグ」、「〜結果」として説明するデータや情報や信号値や変数値やパラメータが、「〜ファイル」や「〜データベース」や「〜テーブル」の各項目として含まれている。「〜ファイル」や「〜データベース」や「〜テーブル」は、ＲＡＭ９１４やＨＤＤ９２０等の記録媒体に記憶される。ＲＡＭ９１４やＨＤＤ９２０等の記録媒体に記憶されたデータや情報や信号値や変数値やパラメータは、読み書き回路を介してＣＰＵ９１１によりメインメモリやキャッシュメモリに読み出され、抽出、検索、参照、比較、演算、計算、制御、出力、印刷、表示といったＣＰＵ９１１の処理（動作）に用いられる。抽出、検索、参照、比較、演算、計算、制御、出力、印刷、表示といったＣＰＵ９１１の処理中、データや情報や信号値や変数値やパラメータは、メインメモリやキャッシュメモリやバッファメモリに一時的に記憶される。
【００４０】
本実施の形態の説明において用いるブロック図やフローチャートの矢印の部分は主としてデータや信号の入出力を示す。データや信号は、ＲＡＭ９１４等のメモリ、ＦＤＤ９０４のフレキシブルディスク（ＦＤ）、ＣＤＤ９０５のコンパクトディスク（ＣＤ）、ＨＤＤ９２０の磁気ディスク、光ディスク、ＤＶＤ（Ｄｉｇｉｔａｌ・Ｖｅｒｓａｔｉｌｅ・Ｄｉｓｃ）、あるいは、その他の記録媒体に記録される。また、データや信号は、バス９１２、信号線、ケーブル、あるいは、その他の伝送媒体により伝送される。
【００４１】
本実施の形態の説明において「〜部」として説明するものは、「〜回路」、「〜装置」、「〜機器」であってもよく、また、「〜ステップ」、「〜工程」、「〜手順」、「〜処理」であってもよい。即ち、「〜部」として説明するものは、ＲＯＭ９１３に記憶されたファームウェアで実現されていても構わない。あるいは、「〜部」として説明するものは、ソフトウェアのみ、あるいは、素子、デバイス、基板、配線といったハードウェアのみで実現されていても構わない。あるいは、「〜部」として説明するものは、ソフトウェアとハードウェアとの組み合わせ、あるいは、ソフトウェアとハードウェアとファームウェアとの組み合わせで実現されていても構わない。ファームウェアとソフトウェアは、プログラムとして、フレキシブルディスク、コンパクトディスク、磁気ディスク、光ディスク、ＤＶＤ等の記録媒体に記憶される。プログラムはＣＰＵ９１１により読み出され、ＣＰＵ９１１により実行される。即ち、プログラムは、本実施の形態の説明で述べる「〜部」としてコンピュータを機能させるものである。あるいは、プログラムは、本実施の形態の説明で述べる「〜部」の手順や方法をコンピュータに実行させるものである。
【００４２】
図４は、業務フローチャート検索装置１００の動作（本実施の形態に係る業務フローチャート検索方法、本実施の形態に係るプログラムの処理手順）を示すフローチャートである。
【００４３】
ステップＳ１０１において、業務フローチャート表示部１０３は、業務フローチャート記憶部１０２に記憶されている任意の業務フローチャート（第１業務フローチャート）を出力装置（例えば、ＬＣＤ９０１）により表示する。このとき、例えば、業務フローチャート表示部１０３は、業務フローチャート記憶部１０２に記憶されている業務プロセス名の一覧を出力装置により表示して、そのうちの１つの業務プロセス名（第１業務フロー識別子）を入力装置（例えば、キーボード９０２、マウス９０３）によりユーザに選択させる。ここでは、一例として、「収入伝票の入力」という業務プロセス名が選択されたとする。業務フローチャート表示部１０３は、業務フローチャート記憶部１０２から、ユーザによって選択された業務プロセス名「収入伝票の入力」に対応する業務フローチャートを取得し、取得した業務フローチャートを表示する。ここでは、一例として、業務フローチャート表示部１０３が図２に示した業務フローチャートを取得したとする。
【００４４】
例えば、前述したように、業務フローチャートがＰＤＦファイルとして業務フローチャート記憶部１０２に記憶されているとすると、ステップＳ１０１において、業務フローチャート表示部１０３は、ユーザによって選択された業務プロセス名に対応する業務フローチャートのＰＤＦファイルを業務フローチャート記憶部１０２から取得して表示する。このとき、業務フローチャート表示部１０３は、ＰＤＦファイルに含まれる統制番号やキーワード等を赤枠で囲む等の加工をしてＰＤＦファイルを表示することが望ましい。これにより、後述するステップＳ１０２にてユーザが統制番号を選択しやすくなる。
【００４５】
ステップＳ１０２において、統制選択部１０４は、統制記憶部１０１に記憶されている統制番号のうち、任意の統制番号（第１統制識別子）の選択を入力装置によりユーザから受け付ける。このとき、例えば、統制選択部１０４は、ステップＳ１０１にて業務フローチャート表示部１０３で表示された業務フローチャートに示されている統制番号のうち、１つの統制番号（第１統制識別子）をユーザに選択させる。ここでは、一例として、統制ＣＡ１が選択されたとする。
【００４６】
例えば、前述したように、ステップＳ１０１にて業務フローチャートのＰＤＦファイルが表示されたとすると、ステップＳ１０２において、統制選択部１０４は、表示中のＰＤＦファイルとは別に入力フォームを表示し、この入力フォームを用いてユーザに統制番号を選択させる。この入力フォームは、例えばＨＴＭＬ（ＨｙｐｅｒＴｅｘｔ・Ｍａｒｋｕｐ・Ｌａｎｇｕａｇｅ）のフォーム（統制番号の一覧からなるセレクトボックス、あるいは、単なるテキスト入力欄等）として実装できる。
【００４７】
ステップＳ１０３において、検索部１０５の統制検索部１５１は、統制記憶部１０１を処理装置（例えば、ＣＰＵ９１１）により曖昧検索して（例えば、テキストデータに含まれる文、単語等が一致する一致度を算出して比較する）、ステップＳ１０２にて統制選択部１０４で選択された統制番号に対応する統制の統制名や統制内容と近似する（例えば、予め定められ、又は、ユーザによって指定された閾値より一致度が高い）他の統制名や統制内容を全て抽出する。図示していないが、ここでは、一例として、業務プロセス名「請求書の発行」に対応する業務フローチャートがあり、業務フローチャート記憶部１０２が、業務プロセス名「請求書の発行」に対応付けて、その業務フローチャートを記憶しているとする。また、その業務フローチャートでは「権限を現場部門のコンピュータで確認する」という統制ＣＡ３が示されており、統制記憶部１０１が、統制番号ＣＡ３に対応付けて、統制ＣＡ３の統制名、「権限を現場部門のコンピュータで確認する」という統制内容、業務プロセス名「請求書の発行」を記憶しているとする。この場合、統制ＣＡ１の「権限のチェックを現場部門のコンピュータで行う」という統制内容は統制ＣＡ３の統制内容と類似するため、統制検索部１５１によって統制ＣＡ３の統制内容が抽出される。また、同じ業務フローチャート内の統制であるが、統制ＣＡ１の「権限のチェックを現場部門のコンピュータで行う」という統制内容は統制ＣＡ２の「権限のチェックを経理部門のコンピュータで行う」という統制内容とも類似するため、統制検索部１５１によって統制ＣＡ２の統制内容も抽出される。
【００４８】
ステップＳ１０４において、統制検索部１５１は、ステップＳ１０３にて抽出した統制名や統制内容に対応する統制の業務プロセス名を統制記憶部１０１から取得する。ここでは、一例として、統制ＣＡ３に対応付けられた業務プロセス名「請求書の発行」と、統制ＣＡ２に対応付けられた業務プロセス名「収入伝票の入力」が取得されることになる。
【００４９】
ステップＳ１０５において、検索部１０５の業務フローチャート検索部１５２は、ステップＳ１０４にて統制検索部１５１により取得された業務プロセス名に対応する業務フローの業務フローチャートを業務フローチャート記憶部１０２から取得する。ここでは、一例として、「請求書の発行」の業務フローチャートと、図２に示した「収入伝票の入力」の業務フローチャートとが取得されることになる。
【００５０】
なお、ステップＳ１０４は省略してもよい。この場合、ステップＳ１０５において、業務フローチャート検索部１５２は、ステップＳ１０３にて統制検索部１５１により抽出された統制名や統制内容に対応する統制番号を統制記憶部１０１から取得する。そして、業務フローチャート検索部１５２は、業務フローチャート記憶部１０２を処理装置により検索して、統制記憶部１０１から取得した統制番号を含む業務フローチャートを業務フローチャート記憶部１０２から取得する。このようにステップＳ１０４を省略する場合、業務フローチャート検索部１５２が業務フローチャート記憶部１０２を検索する処理が必要となるが、その代わりに、統制記憶部１０１が業務プロセス名を記憶する必要がなくなる。
【００５１】
ステップＳ１０６において、業務フローチャート表示部１０３は、ステップＳ１０５にて業務フローチャート検索部１５２により取得された業務フローチャートを出力装置により全て表示する。ここでは、一例として、「請求書の発行」の業務フローチャートと、図２に示した「収入伝票の入力」の業務フローチャートとが表示されることになる。このとき、業務フローチャート表示部１０３は、ステップＳ１０３にて統制検索部１５１により統制名や統制内容が抽出された統制の統制番号を強調表示（例えば、太字や目立つ色で表示、点滅表示）することが望ましい。また、業務フローチャート表示部１０３は、ユーザがマウス９０３のポインタを画面上の統制の上に重ねたり、その状態でユーザがマウス９０３のボタンをクリックしたりした場合等に、その統制の統制名や統制内容を表示することが望ましい。
【００５２】
このようにすることで、例えば、新たに表示した「請求書の発行」の業務フローチャートに含まれる統制ＣＡ３の統制内容が「収入伝票の入力」の業務フローチャートに含まれる統制ＣＡ１の統制内容と実質的に同じ内容であることをユーザに気付かせることができる。また、元から表示していた「収入伝票の入力」の業務フローチャートにおいて、統制ＣＡ２の統制内容が「権限のチェックをコンピュータで行う」という点で統制ＣＡ１の統制内容と共通することをユーザに気付かせることができる。したがって、統制ＣＡ１と共通化可能な統制を効率的に抽出でき、また、統制ＣＡ１と共通化可能な統制の抽出漏れを防止することができる。
【００５３】
例えば、前述したように、業務フローチャートがＰＤＦファイルとして記憶されているとすると、ステップＳ１０６において、業務フローチャート表示部１０３は、業務フローチャート検索部１５２により取得された業務フローチャートのＰＤＦファイルを表示する。このとき、業務フローチャート表示部１０３は、ＰＤＦファイルに含まれる統制番号やキーワード等を赤枠で囲む等の加工をしてＰＤＦファイルを表示することが望ましい。これにより、ユーザが共通化可能な統制を探しやすくなる。
【００５４】
以上のように、本実施の形態によれば、複数の業務フローチャートに含まれる統制の共通化やＩＴ化（人間が行っている複数の統制を、コンピュータを用いた１つの統制に共通化すること）の検討に必要な業務フローチャートを網羅的に検索することができるので、検索条件の入力誤りによる検索対象の漏れ、統制の一覧から選択する場合の選択ミスによる漏れがなくなり、内部統制に係る作業工数を削減することができる。
【００５５】
実施の形態２．
本実施の形態について、主に実施の形態１との差異を説明する。
【００５６】
図５は、本実施の形態に係る業務フローチャート検索装置１００の構成を示すブロック図である。
【００５７】
図５において、業務フローチャート検索装置１００の構成は、図１に示した実施の形態１のものと同様である。
【００５８】
本実施の形態において、統制記憶部１０１は、統制ごとに、統制番号等のほか、統制評価を予め記憶装置により記憶する。統制評価は、統制の評価状況を示すデータである。統制の評価状況としては、例えば、「整備状況評価前」、「整備状況評価合格」、「運用テスト合格」、「監査合格」がある。「整備状況評価前」は、統制の整備状況の評価作業が行われる前の状態、あるいは、評価作業において、その統制の是正が必要であると判断され、（是正後の）再評価作業が行われる前の状態を意味する。「整備状況評価合格」は、統制の整備状況の評価作業において、その統制の是正が不要であると判断され、運用テスト（組織内部での試験的な監査作業）が行われる前の状態、あるいは、運用テストにおいて、その統制の是正が必要であると判断され、（是正後の）再テストが行われる前の状態を意味する。「運用テスト合格」は、統制の運用テストにおいて、その統制の是正が不要であると判断され、監査作業（組織外部の監査法人等による実際の監査作業）が行われる前の状態、あるいは、監査作業において、その統制の是正が必要であると判断され、（是正後の）再監査作業が行われる前の状態を意味する。「監査合格」は、統制の監査作業において、その統制の是正が不要であると判断された状態を意味する。
【００５９】
以下、図４を用いて、業務フローチャート検索装置１００の動作（本実施の形態に係る業務フローチャート検索方法、本実施の形態に係るプログラムの処理手順）を説明する。
【００６０】
ステップＳ１０１及びＳ１０６において、業務フローチャート表示部１０３は、業務フローチャートを表示する際に、業務フローチャートに含まれる各統制番号を、対応する統制の統制評価に応じて異なる態様で表示する（例えば、統制の評価状況に応じて色分け表示したり、統制の評価状況を示す記号や文字を付記したりする）。これにより、例えば、ユーザは、評価状況が「監査合格」に近い統制を選択して、そのような統制と共通化可能な統制を優先的に探すことができる。評価状況が「監査合格」に近い統制ほど、問題がない統制であるため、そのような統制と他の統制を共通化すれば、結果的に、是正が必要となる統制の数を減らすことができる。
【００６１】
ステップＳ１０２〜Ｓ１０５については、実施の形態１と同様である。
【００６２】
以上のように、本実施の形態によれば、統制の評価状況を表示し、比較できるようにすることにより、統制の共通化やＩＴ化の検討の効率が上がり、内部統制に係る作業工数を削減することができる。また、統制の評価状況に基づいて統制を選択し、類似する統制を曖昧検索により抽出することにより、例えば「監査合格」となっている統制と類似する統制を見つけやすくなるため、統制の共通化やＩＴ化の検討の効率が上がり、内部統制に係る作業工数を削減することができる。
【００６３】
実施の形態３．
本実施の形態について、主に実施の形態２との差異を説明する。
【００６４】
本実施の形態に係る業務フローチャート検索装置１００の構成は、図５に示した実施の形態２のものと同様である。
【００６５】
以下、図４を用いて、業務フローチャート検索装置１００の動作（本実施の形態に係る業務フローチャート検索方法、本実施の形態に係るプログラムの処理手順）を説明する。
【００６６】
ステップＳ１０１及びＳ１０２については、実施の形態１又は２と同様である。
【００６７】
ステップＳ１０３において、検索部１０５の統制検索部１５１は、統制記憶部１０１を曖昧検索する際に、ステップＳ１０２にて統制選択部１０４で選択された統制番号に対応する統制の統制評価が「監査合格」である場合、その統制番号に対応する統制の統制名や統制内容と近似する他の統制名や統制内容のうち、統制評価が「監査合格」でない（即ち、「整備状況評価前」、「整備状況評価合格」、「運用テスト合格」のいずれかである）統制の統制名や統制内容のみを抽出する。一方、ステップＳ１０２にて統制選択部１０４で選択された統制番号に対応する統制の統制評価が「監査合格」でない場合、その統制番号に対応する統制の統制名や統制内容と近似する他の統制名や統制内容のうち、統制評価が「監査合格」である統制の統制名や統制内容のみを抽出する。これにより、例えば、ユーザは、評価状況が「監査合格」となった統制と共通化可能な統制を探すことができる。評価状況が「監査合格」となった統制は、問題がない統制であるため、そのような統制と他の統制を共通化すれば、結果的に、是正が必要となる統制の数を減らすことができる。
【００６８】
統制記憶部１０１は、監査作業において是正が不要であると評価された統制については、「監査合格」を示す統制評価を記憶している。本実施の形態では、この「監査合格」を示す統制評価を、統制の是正が不要であることを示す評価情報として扱っている。評価情報は、ステップＳ１０３において抽出対象とする統制を決定する基準になる情報である。具体的には、上記のように、統制検索部１５１は、ステップＳ１０２にて統制選択部１０４で選択された統制番号に対応する統制の評価情報（即ち、「監査合格」を示す統制評価）が統制記憶部１０１に記憶されている場合、その統制番号に対応する統制の統制名や統制内容と近似する他の統制名や統制内容のうち、評価情報が統制記憶部１０１に記憶されていない統制の統制名や統制内容のみを抽出する。一方、ステップＳ１０２にて統制選択部１０４で選択された統制番号に対応する統制の評価情報が統制記憶部１０１に記憶されていない場合、その統制番号に対応する統制の統制名や統制内容と近似する他の統制名や統制内容のうち、評価情報が統制記憶部１０１に記憶されている統制の統制名や統制内容のみを抽出する。
【００６９】
なお、本実施の形態において、「監査合格」を示す統制評価は、評価情報の一例であり、「整備状況評価合格」を示す統制評価、あるいは、「運用テスト合格」を示す統制評価を評価情報として扱ってもよい。
【００７０】
例えば、「監査合格」を示す統制評価とともに「運用テスト合格」を示す統制評価も評価情報として扱うのであれば、ステップＳ１０３において、統制検索部１５１は、ステップＳ１０２にて統制選択部１０４で選択された統制番号に対応する統制の統制評価が「監査合格」又は「運用テスト合格」である場合（即ち、評価情報が統制記憶部１０１に記憶されている場合）、その統制番号に対応する統制の統制名や統制内容と近似する他の統制名や統制内容のうち、統制評価が「運用テスト合格」より前の（即ち、「整備状況評価前」又は「整備状況評価合格」である）統制の統制名や統制内容のみを抽出する。一方、ステップＳ１０２にて統制選択部１０４で選択された統制番号に対応する統制の統制評価が「運用テスト合格」でも「監査合格」でもない場合（即ち、評価情報が統制記憶部１０１に記憶されていない場合）、その統制番号に対応する統制の統制名や統制内容と近似する他の統制名や統制内容のうち、統制評価が「運用テスト合格」又は「監査合格」である統制の統制名や統制内容のみを抽出する。これにより、例えば、ユーザは、評価状況が少なくとも「運用テスト合格」となった統制と共通化可能な統制を探すことができる。評価状況が「運用テスト合格」となった統制は、問題がない可能性が高い統制であるため、そのような統制と他の統制を共通化すれば、結果的に、是正が必要となる統制の数を減らすことができる。
【００７１】
実施の形態４．
本実施の形態について、主に実施の形態３との差異を説明する。
【００７２】
図６は、本実施の形態に係る業務フローチャート検索装置１００の構成を示すブロック図である。
【００７３】
図６において、業務フローチャート検索装置１００は、実施の形態１〜３と同様の構成要素のほか、業務フローチャート更新部１０６を備える。
【００７４】
図７は、業務フローチャート検索装置１００の動作（本実施の形態に係る業務フローチャート検索方法、本実施の形態に係るプログラムの処理手順）を示すフローチャートである。
【００７５】
ステップＳ２０１は、図４に示したステップＳ１０６の後に実行される。ステップＳ２０１において、統制選択部１０４は、ステップＳ１０６にて業務フローチャート表示部１０３で表示された任意の業務フローチャート（第２業務フローチャート）に示されている統制番号のうち、共通化の対象とする統制の統制番号（第２統制識別子）の選択を入力装置によりユーザから受け付ける。ここでは、一例として、「請求書の発行」の業務フローチャートに含まれる統制ＣＡ３が選択されたとする。
【００７６】
ステップＳ２０２において、業務フローチャート更新部１０６は、コモンコントロール（共通化後の統制）の統制番号、統制名、統制内容の入力を入力装置によりユーザから受け付ける。ここでは、一例として、統制番号ＣＡ４、統制名、「権限のチェックを共通の認証システムで行う」という統制内容が入力されたとする。このとき、業務フローチャート更新部１０６は、入力された統制番号ＣＡ４に対応付けて、同じく入力された統制名、統制内容を統制記憶部１０１に記憶する。
【００７７】
ステップＳ２０３において、業務フローチャート更新部１０６は、ステップＳ１０１にて業務フローチャート表示部１０３で表示された業務フローチャートに示されており、ステップＳ１０２にて統制選択部１０４で選択された統制番号と、ステップＳ１０６にて業務フローチャート表示部１０３で表示された業務フローチャートに示されており、ステップＳ２０１にて統制選択部１０４で選択された統制番号とを、ステップＳ２０２にて入力されたコモンコントロールの統制番号に変更する。ここでは、一例として、図２に示した「収入伝票の入力」の業務フローチャートに含まれる統制ＣＡ１と、「請求書の発行」の業務フローチャートに含まれる統制ＣＡ３とが、コモンコントロールＣＡ４に変更される。このとき、業務フローチャート更新部１０６は、統制番号ＣＡ４に対応付けて、業務プロセス名「収入伝票の入力」及び「請求書の発行」を統制記憶部１０１に記憶する。また、業務フローチャート更新部１０６は、業務プロセス名「収入伝票の入力」と「請求書の発行」とのそれぞれに対応付けて業務フローチャート記憶部１０２に記憶されている業務フローチャートを更新する。さらに、業務フローチャート更新部１０６は、統制番号ＣＡ１，ＣＡ３に対応付けて統制記憶部１０１に記憶されている業務プロセス名「収入伝票の入力」及び「請求書の発行」を削除する。ここで、更新された業務フローチャート以外に統制ＣＡ１，ＣＡ３を含む業務フローチャートがなければ、業務フローチャート更新部１０６は、統制記憶部１０１に記憶されている、統制番号ＣＡ１，ＣＡ３に対応するデータ（例えば、レコード）自体を削除してもよい。
【００７８】
例えば、前述したように、業務フローチャートがＰＤＦファイルとして業務フローチャート記憶部１０２に記憶されているとすると、ステップＳ２０３において、業務フローチャート更新部１０６は、共通化の対象となる統制番号を含む業務フローチャートのＰＤＦファイルにおいて、それらの統制番号をコモンコントロールの統制番号に書き換えた上で当該ＰＤＦファイルを保存する。あるいは、例えば、前述したように、業務フローチャートがフローチャートの構成を定義する各種データとして業務フローチャート記憶部１０２に記憶されているとすると、ステップＳ２０３において、業務フローチャート更新部１０６は、共通化の対象となる統制番号を含む業務フローチャートの各種データのうち、それらの統制番号を示すデータの値を全てコモンコントロールの統制番号に書き換える。
【００７９】
本実施の形態によれば、統制を共通化する作業のさらなる効率化が図れる。
【００８０】
なお、ステップＳ２０３において、業務フローチャート更新部１０６は、ステップＳ１０１にて業務フローチャート表示部１０３で表示された業務フローチャートに示されており、ステップＳ１０２にて統制選択部１０４で選択された統制番号と、ステップＳ１０６にて業務フローチャート表示部１０３で表示された業務フローチャートに示されており、ステップＳ２０１にて統制選択部１０４で選択された統制番号とを、いずれか一方（例えば、ユーザに指定させてもよいし、統制評価で評価状況が「監査合格」に近い方を自動的に選択してもよい）の統制番号に変更（統一）してもよい。この場合、ステップＳ２０２は省略できる。
【００８１】
以上、本発明の実施の形態について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【符号の説明】
【００８２】
１００  業務フローチャート検索装置、１０１  統制記憶部、１０２  業務フローチャート記憶部、１０３  業務フローチャート表示部、１０４  統制選択部、１０５  検索部、１０６  業務フローチャート更新部、１５１  統制検索部、１５２  業務フローチャート検索部、９０１  ＬＣＤ、９０２  キーボード、９０３  マウス、９０４  ＦＤＤ、９０５  ＣＤＤ、９０６  プリンタ、９１１  ＣＰＵ、９１２  バス、９１３  ＲＯＭ、９１４  ＲＡＭ、９１５  通信ボード、９２０  ＨＤＤ、９２１  オペレーティングシステム、９２２  ウィンドウシステム、９２３  プログラム群、９２４  ファイル群。
【図１】
0005202655.tif 000002
【図２】
0005202655.tif 000003
【図３】
0005202655.tif 000004
【図４】
0005202655.tif 000005
【図５】
0005202655.tif 000006
【図６】
0005202655.tif 000007
【図７】
0005202655.tif 000008